(57)【特許請求の範囲】
【請求項１】
互いに対向する第一及び第二外壁と底壁とで形成した水路ブロック内を、これら第一及び第二外壁より低い中間壁で仕切って二つの空間に区画し、前記第一外壁側の空間を流水部、前記第二外壁側の空間を土壌部とし、前記流水部内の中間壁側に前記水路ブロックの長さより短い幅のポーラスコンクリート製の傾斜壁を設け、該傾斜壁によって前記流水部と土壌部とを連絡するとゝもに、前記流水部に面した前記第一外壁及び中間壁の各壁面を粗面とし、更に前記土壌部に面する底壁に前記土壌部と水路ブロックの外部と連通する排水口を設けたことを特徴とする蛍育成用水路ブロック。
【請求項２】
前記第一外壁と中間壁及び底壁で前記流水部を形成するとゝもに、該流水部内の前記中間壁側に前記傾斜壁を設けた流水部ブロックと、前記第二外壁及び底壁からなる土壌部ブロックとを備え、該土壌部ブロックの前記底壁の端面を、流水部ブロックの前記中間壁の外面に対向せしめて両者を組み合わせることにより、前記第二外壁と底壁及び中間壁によって前記土壌部を形成したことを特徴とする請求項１記載の蛍育成用水路ブロック。
【請求項３】
互いに対向する第一及び第二外壁と底壁とで形成した水路ブロック内
を、これら第一及び第二外壁より低い第一及び第二中間壁で仕切って三つの空間に区画し、これら第一及び第二中間壁で囲まれた中央の空間を流水部、該流水部の両側の各空間をそれぞれ土壌部とし、前記流水部内のいづれか一方の中間壁側に前記水路ブロックの長さより短い幅のポーラスコンクリート製の傾斜壁を設け、該傾斜壁によって前記流水部と少なくとも一方の前記土壌部とを連絡するとゝもに、前記流水部に面した前記第一及び第二中間壁の各壁面を粗面とし、更に前記両土壌部に面する底壁に前記土壌部と水路ブロックの外部と連通する排水口をそれぞれ設けたことを特徴とする蛍育成用水路ブロック。
【請求項４】
前記第一及び第二中間壁と底壁で前記流水部を形成するとゝもに、該流水部内のいづれか一方の中間壁側に前記傾斜壁を設けた流水部ブロックと、前記第一又は第二外壁と底壁からなる一対の土壌部ブロックとを備え、該各土壌部ブロックの前記底壁の端面を、流水部ブロックの前記第一及び第二中間壁の外面に対向せしめて三者を組み合わせ、前記第一及び第二外壁，底壁，第一及び第二中間壁によって一対の土壌部を形成したことを特徴とする請求項３記載の蛍育成用水路ブロック。
【請求項５】
請求項４記載の蛍育成用水路ブロックを複数個連続して設置した水路であって、前記各蛍育成用水路ブロックの流水部内に設けた前記傾斜壁を前記第一中間壁側と第二中間壁側に交互に配設して設置する構成としたことを特徴とする蛍育成用水路。
【発明の詳細な説明】
【０００１】
【発明の属する技術分野】
本発明は、景観，生物環境などの向上を図るための水路に関し、特に蛍が棲息の場或いは産卵の場として利用することができるようにした蛍育成用の水路ブロック及び水路に関する。
【０００２】
【従来の技術】
農業用水路や工業用水路にはコンクリート製の水路が普及しているが、その殆どのものは水生生物，昆虫，魚類等の育成や繁殖に不向きであった。そこで、近年、生態系や自然環境に配慮したコンクリート製水路が開発されるようになり、特に、夏の夜の風物であった蛍を水路内で人工繁殖させるようにした様々な試みがなされている（特開平８ー３２２４２８号公報、特開平８ー３２２４２９号公報、特公昭４９ー６９５８号公報、実開平４ー４６１２４号公報、実開平６ー８２１１９号公報等）。
【０００３】
ここで、蛍の生態について簡単に説明すると、まず、卵から孵化した幼虫は、水中でカワニナを餌として翌年の春まで水中で生活する。次いで、春になると幼虫期末になった幼虫は、水中から陸に上がり土中で蛹化する。そして、夏になると蛹から羽化した成虫が群飛且つ発光して夏の夜空を彩るとゝもに、水辺のコケ等に産卵し、その一生を終える。その後、秋，冬を越して夏に卵が孵化し、再び蛍の一生が繰り返される。
【０００４】
このような生態の蛍を人工繁殖させるには、第一に幼虫の餌となるカワニナの棲息する環境、第二に幼虫が蛹化するための土壌環境、第三に産卵するためのコケ等が繁殖する環境が必須であり、本出願人は、先にこれらの生活環境に配慮した水生生物の保護用水路を提案した（特許第２７７９９２７号）。
【０００５】
上記の特許発明に係る水生生物の保護用水路は、水路内の外壁側にポーラスコンクリート製の傾斜壁を設けた構成とし、該傾斜壁に蛍の産卵に必要なコケ，アシ，セリ等の水辺植物を自生させると同時に、これら水辺植物を餌とするカワニナを前記水路内に棲息させることによって、上記第一と第三の環境を前記水路内に形成している。また、前記傾斜壁は前記水路の内外の連絡路としての役割をも果たし、該傾斜壁を通じて、蛹化しようとする蛍の幼虫を前記水路外の土壌に導き出すことにより上記第二の環境を満たしていた。
【０００６】
【発明が解決しようとする課題】
しかし、上述した従来の水生生物の保護用水路では、蛍の幼虫が蛹化するための土壌環境を水路外に求めていたため、水路周辺の土壌が蛍の観察者等によって踏み固められてしまう事態が生じ、蛹の保護と成虫への育成が妨げられてしまうというおそれがあった。
【０００７】
その一方で、蛍を養殖する以上は、その生態を観察したり、水路のメンテナンスを行なったりするために、観察者や作業員が水路周辺の土壌に踏み込むことは避けられず、蛍の保護，育成及び繁殖を何ら阻害することなく、人が観察やメンテナンスを自由に行なうことができる蛍の養殖用水路の開発が要望された。
【０００８】
なお、特開平８ー２８４１３６号公報および特開平５ー１１８０１７号公報では、水路内に植物が繁殖するための土壌を設け、景観の向上及び水質の浄化を図ったコンクリート製水路が提案されているが、これらコンクリート製水路は、蛍の養殖を目的としたものではなく、水路内に土壌を有するものの、上述した第一及び第三の環境を全く具備せず、蛍の養殖には不向きであった。
【０００９】
【課題を解決するための手段】
本発明は、上記のような従来の諸問題点に鑑みてなされたものであり、蛍の棲息場所として必要な生活環境の全てを水路内に整備し、成長段階に応じた蛍の保護，育成及び繁殖などの促進を水路内で図ることができる蛍育成用水路を提供することを目的としたものであり、その要旨は、互いに対向する第一及び第二外壁と底壁とで形成した水路ブロック内を、これら第一及び第二外壁より低い中間壁で仕切って二つの空間に区画し、前記第一外壁側の空間を流水部、前記第二外壁側の空間を土壌部とし、前記流水部内の中間壁側に前記水路ブロックの長さより短い幅のポーラスコンクリート製の傾斜壁を設け、該傾斜壁によって前記流水部と土壌部とを連絡するとゝもに、前記流水部に面した前記第一外壁及び中間壁の各壁面を粗面とし、更に前記土壌部に面する底壁に前記土壌部と水路ブロックの外部と連通する排水口を設けたことを特徴とする蛍育成用水路ブロック等にある。
【００１０】
【発明の実施の形態】
以下、本発明を図面に示す実施形態により詳細に説明する。まず、本発明の第一実施形態に係る蛍育成用水路ブロックを、図１及び図２を参照しつつ説明すると、図１（ａ），（ｂ）において、１は蛍育成用水路ブロックで、流水部ブロック１０と、土壌部ブロック２０とから構成されており、これを図１（ｂ）及び図２に示すように組み合わせて形成した水路ブロック１を長手方向に連続して設置することで、蛍育成用の水路を構築する構成としてある。
【００１１】
具体的に、前記流水部ブロック１０は、第一外壁１１と中間壁１２及び底壁１３から構成されており、前記中間壁１２の高さＬ２は第一外壁１１の高さＬ１より低くしてある。このような流水部ブロック１０内に水を流すこと（図２（ａ）（ｂ）参照）により、蛍の幼虫とその餌であるカワニナの棲息場所となる流水部１４を形成している。また、蛍の産卵やカワニナの餌として必要なコケ等の繁殖を可能とすべく、前記第一外壁１１と中間壁１２の流水部１４に面した各内面１１ａ，１２ａをそれぞれ粗面処理してある。
【００１２】
さらに、流水部１４内の中間壁１２側には、普通のコンクリートと比較して外周面がより粗面となっているポーラスコンクリート製の傾斜壁１５が配設してある。この傾斜壁１５は、前記底壁１３の上面から中間壁１２の上端に達するものであり、コケ等の繁殖場所となると同時に、前記流水部１４と後述する土壌部２３の連絡路の役割を果たす。なお、この傾斜壁１５の幅Ｌ４は前記第一外壁１１の長さＬ３以下とする。これに加え、図２（ａ）（ｂ）に示すように、前記流水部１４内に玉石を敷き詰めることにより、藻の繁殖を促すと同時に、蛍の隠れ場所を設けてある。
【００１３】
一方、土壌部ブロック２０は、第二外壁２１と底壁２２からなり、該第二外壁２１は前記第一外壁１１の高さＬ１及び長さＬ３と同寸法となっている。このような土壌部ブロック２０を、その底壁２２の端面２２ａが前記流水部ブロック１０の中間壁１２の外面１２ｂと当接するように組み合わせることにより、これら第二外壁２１と底壁２２及び中間壁１２からなる空間部を形成し、該空間部内に土を充填することによって土壌部２３を形成している。
【００１４】
前記土壌部２３は蛍の幼虫が蛹化するための場所であり、該土壌部２３に植物を繁殖させることによって、鳥などの外敵から蛹を保護するとゝもに、蛍の成虫の生殖に適した環境を形成している。ここで、土壌部２３に使用する前記土はあまり粘性が高いと蛍の蛹化（土繭の形成）に適さないため、土と砂を混合したものを使用し、好ましくは、土：砂の混合比率を２：１とする。
【００１５】
また、降雨等により土壌部２３が水浸しになることを防止するため、ある程度の通気性を確保する必要があり、例えば、図２（ａ）に示すように、土壌部２３の上半分を土砂層２３ａ，下半分を砂利層２３ｂとするとゝもに、土壌部ブロック２０の底壁２２に排水口２３ｃを設け、或いは図２（ｂ）に示すように、土壌部ブロック２０の底壁２２と流水部ブロック１０の中間壁１２との間に、排水口としての隙間２３ｄをあけた構成とすることにより、土壌部２３の水はけを良好にする。なお、図示しないが、余分な水とゝもに土砂が前記排水口等２３ｃ，２３ｄから流出しないよう、土砂層２３ａと砂利層２３ｂの間に砂粒より目の細かいフィルタ等を介在させるとよい。
【００１６】
次に、上記構成からなる蛍育成用水路ブロック１の作用について説明する。まず、粗面処理した第一外壁１１と中間壁１２の各内面１１ａ，１２ａ、あるいは、傾斜壁１５の外周面にコケ等が繁茂し、ここに蛍の成虫が卵を産み付ける。そして、卵から孵化した蛍の幼虫は、流水部１４内でカワニナを餌として翌年の春まで生活する。春になると該幼虫が傾斜壁１５を登って流水部１４から土壌部２３に上がりこの土壌部内で蛹化する。夏になると蛹から蛍の成虫が羽化し、繁殖期に粗面とした各内面１１ａ，１２ａ又は傾斜壁１５に卵を産み付ける。
【００１７】
このような構成からなる本実施形態によれば、蛍の棲息場所として必要な生活環境の全てを蛍育成用水路ブロック１内に整備し、成長段階に応じた蛍の保護，育成及び繁殖の促進などを水路内で図ることができる。特に、土壌部２３を蛍育成用水路ブロック１内に設けたことによって、該土壌部２３が踏み固められてしまうことがなく、土中の蛹を効果的に保護して、より多くの蛹を成虫に羽化させることができる。また、蛍育成用水路ブロック１の周辺に踏み込んでも、土壌部内の蛹に何の悪影響も与えないので、自由に蛍の生態観察や水路のメンテナンスを行なうことができる。
【００１８】
次に、本発明の第二実施形態に係る蛍育成用水路ブロックについて、図３及び図４を参照しつつ説明する。図３（ａ），（ｂ）において、２は蛍育成用水路ブロックで、（ａ）に示すように、断面略Ｕ字状の流水部ブロック３０と、該流水部ブロック３０の両側に配設した断面略Ｌ字状の第一土壌部ブロック４０及び第二土壌部ブロック５０とから構成されており、これを同図（ｂ）に示すように組み合わせて形成した水路ブロック２を長手方向に連続して設置することで、蛍育成用の水路を構築する構成としてある。
【００１９】
具体的に、前記流水部ブロック３０は、第一及び第二中間壁３１，３２と底壁３３から構成されており、該第一及び第二中間壁３１，３２の高さＬ２を、第一及び第二土壌部ブロック４０，５０の第一及び第二外壁４１，５１の高さＬ１より低くしてある。このような流水部ブロック３０内を水が流下することにより、蛍の幼虫とその餌であるカワニナの棲息場所となる流水部３４を形成している。
【００２０】
また、蛍の産卵やカワニナの餌として必要なコケ等の繁茂を可能とすべく、前記第一及び第二中間壁３１，３２の流水部１４に面した各内面３１ａ，３２ａをそれぞれ粗面処理してある。さらに、流水部１４内には、前記第一実施形態と同様に、ポーラスコンクリート製の傾斜壁３５が配設してある。なお、この蛍育成用水路ブロック２による水路造成時における複数個の傾斜壁３５の具体的な配設パターンについては後述する。
【００２１】
一方、前記第一及び第二土壌部ブロック４０，５０は、互いに同寸法の第一及び第二外壁４１，５１と底壁４２，５２とからそれぞれ構成されており、その長さＬ３は前記第一及び第二中間壁３１，３２の長さＬ３と同寸法となっている。このような第一及び第二土壌部ブロック４０，５０を、その底壁４２，５２の各端面４２ａ，５２ａが前記流水部ブロック３０の第一及び第二中間壁３１，３２の各外面３１ｂ，３２ｂに当接するように組み合わせることにより、第一外壁４１と底壁４２及び第一中間壁３１からなる第一土壌部４３と、第二外壁５１と底壁５２及び第二中間壁３２からなる第二土壌部５３とを形成している。
【００２２】
ここで、前記流水部３４をこれら第一及び第二土壌部４３，５３の一方又は両方に連絡させる各傾斜壁３５の配設パターンとしては、図４（ａ），（ｂ）に示す二種類のものがある。すなわち、前記流水部３４内の水の流速を速くしたい場合は、図４（ａ）に示すように、各傾斜壁３５を、第一又は第二中間壁３１，３２側のいずれか一方に一定間隔をおいて配設し、前記水の流れが真直ぐになるようにする。逆に、流水部３４内の水の流速を遅くしたい場合は、図４（ｂ）に示すように、各傾斜壁３５を、第一及び第二中間壁３１，３２側に一定間隔をおいて交互に配設し、前記水の流れが蛇行するようにする。
【００２３】
なお、図示しないが、第一及び第二土壌部４３，５３の水はけを良好にする場合は、前記第一実施形態と同様に、第一及び第二土壌部ブロック４０，５０の各底壁４２，５２に排水口を設けた構成とし、又は、第一及び第二土壌部ブロック４０，５０の各底壁４２，５２と、流水部ブロック３０の第一及び第二中間壁３１，３２との間に、それぞれ排水口としての隙間をあけた構成としてもよい。
【００２４】
このような構成からなる本実施形態の蛍育成用水路ブロック２によれば、上述した第一実施形態の蛍育成用水路ブロック１と同様の効果を奏するほか、流水部３４の両側に第一及び第二土壌部４３，５３を備えるので水路幅が大きくなり、より多数の蛍を繁殖させることができるとゝもに、広い面積にわたって景観の向上を図ることができる。
【００２５】
なお、本発明に係る蛍育成用水路は、上述した各実施形態のものに限定されるものではない。例えば、第一及び第二実施形態に係る蛍育成用水路ブロックでは、Ｕ字溝である流水部ブロックに、Ｌ字溝である土壌部ブロックを組み合わせて水路ブロック全体を形成したが、第一及び第二外壁、中間壁、底壁が一体となった特殊形状のブロックを用いてもよい。
【００２６】
また、第一及び第二実施形態に係る蛍育成用水路では、第一及び第二外壁と中間壁を垂直に立設した構成としたが、これら壁部の一部又は全部を傾斜させた構成としてもよい。特に、中間壁をポーラスコンクリート製とし、これを外側上方に傾斜させれば、上述した傾斜壁を省略することも可能である。
【００２７】
【発明の効果】
本発明に係る蛍育成用水路は、上記のような構成であるから、蛍の棲息場所として必要な生活環境の全てを水路内に整備し、成長段階に応じた蛍の保護，育成及び繁殖の促進を水路内で図ることができる。特に、土壌部を水路内に設けたことによって、該土壌部が踏み固められてしまうことがなく、土中の蛹を効果的に保護して、より多くの蛹を成虫に羽化させることができる。また、水路周辺に踏み込んでも、土中の蛹に何の悪影響も与えないので、自由に蛍の生態観察や水路のメンテナンスを行なうことができる、といった諸効果がある。
【図面の簡単な説明】
【図１】  本発明の第一実施形態に係る蛍育成用水路ブロックを示すもので、同図（ａ）は分解斜視図，同図（ｂ）は組立状態の斜視図である。
【図２】  同図（ａ），（ｂ）は上記蛍育成用水路ブロックで構築した水路における土壌部の排水構造を示す説明図である。
【図３】  本発明の第二実施形態に係る蛍育成用水路ブロックを示すもので、同図（ａ）は分解斜視図，同図（ｂ）は組立状態の斜視図である。
【図４】  同図（ａ），（ｂ）は上記蛍育成用水路ブロックで構築した水路における傾斜壁の配設パターンを示す説明図である。
【符号の説明】
１，２  蛍育成用水路ブロック
１０，３０  流水部ブロック
２０  土壌部ブロック
４０  第一土壌部ブロック
５０  第二土壌部ブロック
１１，４１  第一外壁
２１，５１  第二外壁
１２  中間壁
３１  第一中間壁
３２  第二中間壁
１３，２２，３３，４２，５２  底壁
１５，３５  傾斜壁
１４，３４  流水部
２３  土壌部
４３  第一土壌部
５３  第二土壌部
１１ａ，１２ａ，３１ａ，３２ａ  内面
１２ｂ，３１ｂ，３２ｂ  外面
２２ａ，４２ａ，５２ａ  端面
２３ａ  土砂層
２３ｂ  砂利層
２３ｃ  排水口
２３ｄ  排水口（隙間）
【図１】
0003732065.tif 000002
【図２】
0003732065.tif 000003
【図３】
0003732065.tif 000004
【図４】
0003732065.tif 000005